(57)【特許請求の範囲】
【請求項１】
回転軸に取り付けられるハブと前記ハブの外周側に配置される環状質量体との間にスリーブおよび弾性体を介装してなるダンパであって、
前記環状質量体の内周面は、軸心を通る平面で切断した断面形状が、軸方向中間部が曲面を描くように外周側へ凹んだ形状をなし、
前記スリーブは、軸心を通る平面で切断した断面形状が、前記環状質量体の内周面と対応して、軸方向中間部が曲面を描くように外周側へ膨らんだ形状をなし、軸方向両端およびその近傍が前記ハブの外周面に嵌着され、
前記弾性体は、ゴム状弾性材料で予め環状に成形され、前記環状質量体の内周面と前記スリーブとの間に圧入嵌合されており、
前記スリーブの軸方向一端部に径方向内方もしくは径方向外方へ向けて鍔部を一体成形し、または前記弾性体よりも軸方向一方へ突出した端部を設け、前記鍔部の端面または前記端部の外周面に着磁層を接合してトリガプレートとなし、
前記トリガプレートにおける着磁層は、磁性体粉末を混合したゴム状弾性材料または合成樹脂材料からなるものであって、円周方向交互に異なる磁極が所定ピッチで多極着磁され、かつ円周方向一部にピッチの異なるクランク角計測原点が設けられていることを特徴とするトリガプレート付きダンパ。
【請求項２】
回転軸に取り付けられるハブと前記ハブの外周側に配置される環状質量体との間にスリーブおよび弾性体を介装してなるダンパであって、
前記ハブの外周面は、軸心を通る平面で切断した断面形状が、軸方向中間部が曲面を描くように内周側へ凹んだ形状をなし、
前記スリーブは、軸心を通る平面で切断した断面形状が、前記ハブの外周面と対応して、軸方向中間部が曲面を描くように内周側へ膨らんだ形状をなし、軸方向両端およびその近傍が前記質量体の内周面に嵌着され、
前記弾性体は、ゴム状弾性材料で予め環状に成形され、前記ハブの外周面と前記スリーブとの間に圧入嵌合されており、
前記スリーブの軸方向一端部に径方向内方もしくは径方向外方へ向けて鍔部を一体成形し、または前記弾性体よりも軸方向一方へ突出した端部を設け、前記鍔部の端面または前記端部の外周面に着磁層を接合してトリガプレートとなし、
前記トリガプレートにおける着磁層は、磁性体粉末を混合したゴム状弾性材料または合成樹脂材料からなるものであって、円周方向交互に異なる磁極が所定ピッチで多極着磁され、かつ円周方向一部にピッチの異なるクランク角計測原点が設けられていることを特徴とするトリガプレート付きダンパ。
【発明の詳細な説明】
【技術分野】
【０００１】
本発明は、回転軸の捩り振動を吸収するダンパであって、特に、回転軸の回転角を検出するためのトリガプレートを設けたものに関する。
【背景技術】
【０００２】
自動車エンジンのクランクシャフトの捩り振動を吸収するダンパには、例えば特許文献１に開示されているように、従来から、クランクシャフトのクランク角を検出するためのトリガプレート（センサプレート）を設けたものがある。【０００３】
【特許文献１】特開平１１−２８１３１２号公報
【０００４】
特許文献１に記載されたトリガプレートは、磁性体金属板の打ち抜きプレスにより製作されたものであって、外周縁に沿って、所要数の被検出突起が円周方向所定ピッチで形成されている。一方、トリガプレートの外周側における円周方向１箇所には、磁気センサ（クランク角センサ）が非回転状態に配置されており、クランクシャフトと共に回転するトリガプレートの被検出突起の通過を読み取ることによって、エンジン点火装置や燃料噴射装置をトリガするためのクランク角の検出を行うようになっている。【０００５】
しかしながら、上記従来の技術によれば、トリガプレートが、ダンパの構成部品とは実質的に別部材であるため、ダンパの部品点数の増大を来していた。
【発明の開示】
【発明が解決しようとする課題】
【０００６】
本発明は、以上の点に鑑みてなされたものであって、その技術的課題は、トリガプレートによる部品点数の増大を来さないトリガプレート付きダンパを提供することにある。
【課題を解決するための手段】
【０００７】
上述した技術的課題を有効に解決するための手段として、請求項１の発明に係るトリガプレート付きダンパは、回転軸に取り付けられるハブと前記ハブの外周側に配置される環状質量体との間にスリーブおよび弾性体を介装してなるダンパであって、前記環状質量体の内周面は、軸心を通る平面で切断した断面形状が、軸方向中間部が曲面を描くように外周側へ凹んだ形状をなし、前記スリーブは、軸心を通る平面で切断した断面形状が、前記環状質量体の内周面と対応して、軸方向中間部が曲面を描くように外周側へ膨らんだ形状をなし、軸方向両端およびその近傍が前記ハブの外周面に嵌着され、前記弾性体は、ゴム状弾性材料で予め環状に成形され、前記環状質量体の内周面と前記スリーブとの間に圧入嵌合されており、前記スリーブの軸方向一端部に径方向内方もしくは径方向外方へ向けて鍔部を一体成形し、または前記弾性体よりも軸方向一方へ突出した端部を設け、前記鍔部の端面または前記端部の外周面に着磁層を接合してトリガプレートとなし、前記トリガプレートにおける着磁層は、磁性体粉末を混合したゴム状弾性材料または合成樹脂材料からなるものであって、円周方向交互に異なる磁極が所定ピッチで多極着磁され、かつ円周方向一部にピッチの異なるクランク角計測原点が設けられていることを特徴とする。
【０００８】
また、請求項２の発明に係るトリガプレート付きダンパは、回転軸に取り付けられるハブと前記ハブの外周側に配置される環状質量体との間にスリーブおよび弾性体を介装してなるダンパであって、前記ハブの外周面は、軸心を通る平面で切断した断面形状が、軸方向中間部が曲面を描くように内周側へ凹んだ形状をなし、前記スリーブは、軸心を通る平面で切断した断面形状が、前記ハブの外周面と対応して、軸方向中間部が曲面を描くように内周側へ膨らんだ形状をなし、軸方向両端およびその近傍が前記質量体の内周面に嵌着され、前記弾性体は、ゴム状弾性材料で予め環状に成形され、前記ハブの外周面と前記スリーブとの間に圧入嵌合されており、前記スリーブの軸方向一端部に径方向内方もしくは径方向外方へ向けて鍔部を一体成形し、または前記弾性体よりも軸方向一方へ突出した端部を設け、前記鍔部の端面または前記端部の外周面に着磁層を接合してトリガプレートとなし、前記トリガプレートにおける着磁層は、磁性体粉末を混合したゴム状弾性材料または合成樹脂材料からなるものであって、円周方向交互に異なる磁極が所定ピッチで多極着磁され、かつ円周方向一部にピッチの異なるクランク角計測原点が設けられていることを特徴とする。
【発明の効果】
【００１０】
上記本発明の各請求項に係るトリガプレート付きダンパによれば、着磁層を備えるトリガプレートが、ダンパの構成部品であるスリーブに一体的に設けられているため、ダンパの部品点数や組立工数が増大せず、しかもトリガプレートをスリーブの圧入によって強固に固定することができる。本発明においてトリガプレートにおける着磁層は上記したように、磁性体粉末を混合したゴム状弾性材料または合成樹脂材料からなるものであって、円周方向交互に異なる磁極が所定ピッチで多極着磁され、かつ円周方向一部にピッチの異なるクランク角計測原点が設けられているものである。
【図面の簡単な説明】
【００１１】
【図１】本発明に係るトリガプレート付きダンパの第一の形態を示すもので、（Ａ）は軸心を通る平面で切断して示す半断面図、（Ｂ）は（Ａ）におけるＢ方向の部分的な矢視図である。
【図２】本発明に係るトリガプレート付きダンパの第二の形態を示すもので、（Ａ）は軸心を通る平面で切断して示す半断面図、（Ｂ）は（Ａ）におけるＢ方向の部分的な矢視図である。
【図３】本発明に係るトリガプレート付きダンパの第三の形態を示すもので、（Ａ）は軸心を通る平面で切断して示す半断面図、（Ｂ）は部分的な斜視図である。
【図４】本発明に係るトリガプレート付きダンパの第四の形態を、その軸心を通る平面で切断して示す半断面図である。
【図５】本発明に係るトリガプレート付きダンパの第五の形態を、その軸心を通る平面で切断して示す半断面図である。
【図６】本発明に係るトリガプレート付きダンパの第六の形態を、その軸心を通る平面で切断して示す半断面図である。
【符号の説明】
【００１２】
１  ハブ
１１  ボス部
１２  径方向部
１２ａ  窓部
１３  リム部
２  スリーブ
２ａ  外向き鍔部
２ｂ  内向き鍔部
２ｃ  端部
３  環状質量体
３ａ  ポリＶ溝
３ｂ  内周面
４  弾性体
５  トリガプレート
５１  着磁層
５１ａ  磁極
５１ａ’  クランク角計測原点
６  磁気センサ
【発明を実施するための最良の形態】
【００１３】
第一実施形態・・・
以下、本発明に係るトリガプレート付きダンパの好ましい実施の形態を、図面を参照しながら説明する。まず図１は、本発明に係るトリガプレート付きダンパの第一の形態を示すもので、（Ａ）は軸心を通る平面で切断して示す半断面図、（Ｂ）は（Ａ）におけるＢ方向の部分的な矢視図である。なお、以下の説明において、「正面」とは図１（Ａ）あるいは後述の図２（Ａ），図３（Ａ），図４における左側をいい、「背面」とはその反対側で、不図示のエンジンが存在する側をいう。【００１４】
図１において、参照符号１は、自動車エンジンのクランクシャフト（図示省略）の正面端部に取り付けられるハブ、参照符号２は、このハブ１におけるリム部１３の外周面に圧入されたスリーブ、参照符号３は、このスリーブ２の外周側に同心的に配置された環状質量体、参照符号４は、スリーブ２と環状質量体３の間に介装された弾性体、参照符号５は、スリーブ２に一体に設けられて円周方向所定ピッチで着磁されたトリガプレートである。【００１５】
ハブ１は金属材料によって製作されたものであって、クランクシャフトの正面端部に不図示のセンターボルトを介して固定される円筒状のボス部１１と、このボス部１１から外周側へ延びる径方向部１２と、更にその外周に形成された円筒状のリム部１３からなる。なお、径方向部１２には、軽量化等の目的で、複数の窓部１２ａが、円周方向所定間隔で開設されている。また、参照符号１１ａは、ボス部１１の内周に形成されたキー溝である。【００１６】
環状質量体３は、鋳鉄あるいは鋼材等の金属材料によって製作されたものであって、その外周面には、エンジン用補機（不図示）へ回転力を伝達する無端ベルトを巻き掛けるための、ポリＶ溝３ａが形成されている。【００１７】
スリーブ２は鋼鈑等、磁性体の金属板を打ち抜きプレスすることにより製作されたものであって、円筒状をなし、ハブ１におけるリム部１３の外周面に、所要の締め代をもって圧入嵌着されている。【００１８】
弾性体４は、ゴム状弾性材料で環状に成形されたものであって、環状質量体３の内周面３ｂとスリーブ２との間に加硫接着されている。【００１９】
スリーブ２の背面側の端部からは、外周側へ円盤状に展開した外向き鍔部２ａが延在されている。すなわち、この外向き鍔部２ａはスリーブ２と同材質の磁性体金属板からなるものであって、環状質量体３の背面側の端面に対して適当な隙間をもって、軸心と垂直な方向に延在されている。そしてトリガプレート５は、この外向き鍔部２ａと、その背面に接合された着磁層５１とで構成される。【００２０】
トリガプレート５における着磁層５１は、フェライト等の磁性体の微粉末を均一に混合したゴム状弾性材料又は合成樹脂材料からなるものであって、スリーブ２から延びる外向き鍔部２ａの背面に加硫接着等によって接合され、円周方向交互に異なる磁極（Ｓ極およびＮ極）５１ａが所定ピッチで多極着磁されている。【００２１】
なお、トリガプレート５には、図１（Ｂ）に示されるように、例えばエンジンのピストンの上死点等、特定のポジションを検出するためのクランク角計測原点５１ａ’が設けられており、このクランク角計測原点５１ａ’は、円周方向１箇所に、磁極５１ａの着磁ピッチの異なる部分などを設けることによって形成される。【００２２】
また、トリガプレート５の背面側には、ホール素子や磁気抵抗素子等からなる磁気センサ６が非回転状態に配置され、その検出面がトリガプレート５の本体をなす着磁層５１と軸方向に近接対向している。そして、このトリガプレート５と磁気センサ６によって、エンジン点火時期制御や燃料噴射時期制御のためのクランクシャフトのクランク角を検出するロータリエンコーダが構成されている。【００２３】
弾性体４と環状質量体３は、ばね−マス系（副振動系）を構成しており、その捩り方向固有振動数は、環状質量体３の円周方向慣性質量と、弾性体４の円周方向剪断ばね定数によって、クランクシャフトの捩り振動の振幅が極大となる振動周波数帯域に設定されている。【００２４】
以上の構成を備えるトリガプレート付きダンパは、ハブ１のボス部１１においてクランクシャフトの正面端部に外挿固定され、このクランクシャフトと一体的に回転されるものである。そしてクランクシャフトからハブ１を介して入力される捩り振動の周波数が、クランクシャフトの振幅が極大となる回転数域では、環状質量体３と弾性体４によって構成される副振動系が、入力振動と逆の位相角をもって捩り方向に共振し、すなわちその共振によるトルクは入力振動のトルクと逆の方向に生じるため（動的吸振作用）、クランクシャフトの捩り振動のピークを有効に低減することができる。【００２５】
また、トリガプレート５がハブ１と一体的に回転するのに伴って、磁気センサ６の検出面の正面を、前記トリガプレート５の着磁層５１に着磁されたＮ極とＳ極が交互に通過するので、磁気センサ６は、磁界の変化に対応した波形のパルス信号を発生する。この信号は、エンジン点火時期制御や燃料噴射時期制御のためのクランク角データとして、不図示のエンジン制御ユニットに出力される。【００２６】
図１に示される第一の形態によるトリガプレート付きダンパの製造においては、例えばまずスリーブ２に形成された外向き鍔部２ａに、磁性体の微粉末を均一に混合した未加硫のゴム状弾性材料又は合成樹脂材料によって着磁層５１を一体的に加硫成形し、次に互いに同心的にセットしたスリーブ２と環状質量体３の間に、未加硫のゴム状弾性材料によって弾性体４を一体的に加硫成形し、この工程により得られた一体成形物を、スリーブ２においてハブ１のリム部１３の外周に圧入する。スリーブ２は、リム部１３への圧入過程で拡径変形され、これによって弾性体４が環状質量体３との間で径方向に予圧縮されるので、弾性体４にその成形過程で生じた体積収縮による残留引張応力が低減又は解消される。また、着磁層５１には多極着磁を行う必要があるが、この着磁工程は、ハブ１への組み込み前であっても、組み込み後であっても良く、着磁層５１の成形は、弾性体４の成形後に行っても良い。【００２７】
トリガプレート５は、環状質量体３と弾性体４による副振動系をハブ１に固定するスリーブ２と一体であるから、トリガプレート５によって部品点数が増加することはなく、上述の圧入工程によってトリガプレート５の取り付けも同時に行われることになる。しかも、トリガプレート５はスリーブ２を介してしっかり固定することができるため、ハブ１との滑りによる相対回転を生じて磁気センサ６によるクランク角検出の信頼性が損なわれたり、あるいはトリガプレート５がハブ１から脱落したりするのを確実に防止することができる。【００２８】
第二実施形態・・・
次に図２は、本発明に係るトリガプレート付きダンパの第二の形態を示すもので、（Ａ）は軸心を通る平面で切断して示す半断面図、（Ｂ）は（Ａ）におけるＢ方向の部分的な矢視図である。【００２９】
図２に示される第二の形態において、先に説明した図１に示される第一の形態と異なるところは、トリガプレート５における着磁層５１が、スリーブ２の背面側の端部から内周側へ一体に形成された内向き鍔部２ｂの背面に一体的に接合されたことにあり、したがって、トリガプレート５およびこれに対向配置された磁気センサ６は、図１との比較において相対的に内周側に位置している。その他の構成は、基本的に図１と同様である。【００３０】
この形態によるトリガプレート付きダンパの製造も第一の形態と同様であり、すなわち、例えばまずスリーブ２に形成された内向き鍔部２ｂに、磁性体の微粉末を均一に混合した未加硫のゴム状弾性材料又は合成樹脂材料によって着磁層５１を一体的に加硫成形し、次に互いに同心的にセットしたスリーブ２と環状質量体３の間に、未加硫のゴム状弾性材料によって弾性体４を一体的に加硫成形し、この工程により得られた一体成形物を、スリーブ２においてハブ１のリム部１３の外周に圧入する。着磁層５１への着磁工程は、ハブ１への組み込み前であっても、組み込み後であっても良く、また、着磁層５１の成形は、弾性体４の成形後に行っても良い。【００３１】
着磁層５１に用いられる磁性体粉末混合ゴム状弾性材料又は合成樹脂材料は材料が高価なものであるが、この形態によれば、トリガプレート５が小径で、その円周が短いため、図１の形態に比較して、着磁層５１の材料コストを低減することができる。【００３２】
第三実施形態・・・
次に図３は、本発明に係るトリガプレート付きダンパの第三の形態を示すもので、（Ａ）は軸心を通る平面で切断して示す半断面図、（Ｂ）は部分的な斜視図である。【００３３】
図３に示される第三の形態において、先に説明した図１に示される第一の形態あるいは図２に示される第二の形態と異なるところは、トリガプレート５における着磁層５１が、スリーブ２における弾性体４との接着部から背面側へ突出した端部２ｃの外周面に一体的に形成され、すなわち着磁層５１が円筒状をなし、磁気センサ６が、この着磁層５１の外周面に、径方向に対向配置された点にある。その他の構成は、基本的に図１あるいは図２と同様である。【００３４】
この形態によるトリガプレート付きダンパの製造も第一の形態と同様であり、すなわち、例えばまずスリーブ２の端部２ｃの外周面に、磁性体の微粉末を均一に混合した未加硫のゴム状弾性材料又は合成樹脂材料によって着磁層５１を一体的に加硫成形し、次に互いに同心的にセットしたスリーブ２と環状質量体３の間に、未加硫のゴム状弾性材料によって弾性体４を一体的に加硫成形し、この工程により得られた一体成形物を、スリーブ２においてハブ１のリム部１３の外周に圧入する。着磁層５１への着磁工程は、ハブ１への組み込み前であっても、組み込み後であっても良く、また、着磁層５１の成形は、弾性体４の成形後に行っても良い。【００３５】
また、この形態においても、トリガプレート５が小径でその円周が短いため、図１の形態に比較して、着磁層５１の材料コストを低減することができる。【００３６】
第四実施形態・・・
上述した各形態は、ハブ１のリム部１３に圧入嵌着されるスリーブ２と、その外周に配置された環状質量体３との間に弾性体４を一体的に加硫成形した、所謂ブッシュタイプのダンパについて本発明を適用したものであるが、予め環状に成形した弾性体４を圧入した、所謂嵌合タイプのダンパについても適用可能である。図４は、このような例として、本発明に係るトリガプレート付きダンパの第四の形態を、その軸心を通る平面で切断して示す半断面図である。【００３７】
すなわち図４に示される第四の形態において、先に説明した各形態と異なるところは、スリーブ２と、その外周に配置された環状質量体３との間に、弾性体４を圧入嵌合した点にある。【００３８】
詳しくは、環状質量体３の内周面３ｂは、軸心を通る平面で切断した断面形状（図４に示される断面形状）が、軸方向中間部が曲面を描くように外周側へ凹んだ形状をなしている。一方、スリーブ２は、軸心を通る平面で切断した断面形状（図４に示される断面形状）が、環状質量体３の内周面３ｂと対応して、軸方向中間部が曲面を描くように外周側へ膨らんだ形状をなし、軸方向両端およびその近傍が、ハブ１におけるリム部１３の円筒面状の外周面に、適当な締め代をもって嵌着されている。【００３９】
環状弾性体４は、ゴム状弾性材料で予め環状（円筒状）に成形され、環状質量体３の内周面３ｂとスリーブ２との間に圧入嵌合されたものである。この環状弾性体４は、環状質量体３の内周面３ｂおよびこれに径方向に対向するスリーブ２の外周面に沿って、軸方向中間部が曲面を描くように外周側へ蛇行した断面形状をなしており、これによって、環状質量体３の内周面３ｂおよびスリーブ２に対する滑りが防止されている。
【００４０】
トリガプレート５は、先に説明した図２に示される第二の形態と同様、トリガプレート５における着磁層５１が、スリーブ２の背面側の端部から内周側へ一体に形成された内向き鍔部２ｂの背面に一体的に接合され、この着磁層５１に、円周方向交互に異なる磁極（Ｓ極およびＮ極）が所定ピッチで多極着磁されたものである。【００４１】
この第四の形態も、先に説明した各形態と同様、クランクシャフトの正面端部に外挿固定されてこのクランクシャフトと一体的に回転し、そしてクランクシャフトの捩り振動の振幅が極大となる回転数域において、環状質量体３と弾性体４によって構成される副振動系が、入力振動と逆の位相角をもって捩り方向に共振するといった動的吸振作用によって、クランクシャフトの捩り振動のピークを有効に低減するものである。また、トリガプレート５がハブ１と一体的に回転することによって、その背面側に配置された磁気センサ６がエンジン点火装置や燃料噴射装置をトリガするためのクランク角データとなるパルス信号を出力するものである。【００４２】
図４に示されるトリガプレート付きダンパの製造においては、まずスリーブ２の内向き鍔部２ｂの背面に、磁性体の微粉末を均一に混合した未加硫のゴム状弾性材料又は合成樹脂材料によって着磁層５１を一体的に加硫成形する。次にスリーブ２の外周側に環状質量体３を同心的に配置し、この環状質量体３の内周面３ｂとスリーブ２との間に、予めゴム状弾性材料で環状（円筒状）に成形された弾性体４を軸方向へ圧入する。この場合、予めスリーブ２の外周面および環状質量体３の内周面３ｂ又は弾性体４に、互いの嵌合面のスベリトルクを増大させるためのカップリング剤を塗布しておくことが好ましい。【００４３】
弾性体４の圧入過程では、この弾性体４に押されてスリーブ２が内周側へ僅かに弾性変形されるので、圧入抵抗が小さくなり、したがって圧入作業を容易に行うことができる。弾性体４の圧入後は、その内周のスリーブ２を、ハブ１のリム部１３の外周面に圧入する。スリーブ２は、リム部１３に対する適当な締め代が設定されており、しかも弾性体４の圧入によって僅かに縮径変形されているため、このスリーブ２とリム部１３との嵌着面には、前記締め代ばかりでなく、弾性体４の圧縮反力も締め付け力として加わるため、強固な嵌着状態となる。このため、スリーブ２と一体のトリガプレート５が強固に固定され、しかもリム部１３へのスリーブ２の圧入に伴って弾性体４が径方向に圧縮されるので、スリーブ２および環状質量体３に対する弾性体４の嵌着力も向上する。【００４４】
そして、この形態においても、トリガプレート５は、環状質量体３と弾性体４による副振動系をハブ１に固定するスリーブ２と一体であるから、トリガプレート５によって部品点数が増加することはなく、スリーブ２の圧入によってトリガプレート５の取り付けも同時に行われることになる。しかも上述のように、トリガプレート５はスリーブ２を介して強固に固定されるため、ハブ１との滑りによる相対回転を生じて磁気センサ６によるクランク角検出の信頼性が損なわれたり、あるいはトリガプレート５がハブ１から脱落したりするのを確実に防止することができる。【００４５】
また、トリガプレート５としては、図４に示されるもののほか、図１のようにスリーブ２から外周側へ鍔状に展開したものや、図３のように、スリーブ２の背面側の端部２ｃに円筒状に形成したものとすることもできる。【００４６】
第五実施形態・・・
上記第一ないし第四実施形態において、スリーブ２はハブ１の外周側に嵌合（圧入嵌着）されているのに対して、当該第五実施形態において、スリーブ２は環状質量体３の内周側に嵌合（圧入嵌着）されている。【００４７】
すなわち、当該第五実施形態に係る図５において、参照符号１は、自動車エンジンのクランクシャフト（図示省略）の正面端部に取り付けられる環状のハブ、参照符号３は、このハブ１の外周側に同心的に配置された環状質量体、参照符号２は、この環状質量体３の内周面に嵌合（圧入嵌着）されたスリーブ、参照符号４は、このハブ１とスリーブ２との間に介装された弾性体、参照符号５は、スリーブ２に一体に設けられて円周方向所定ピッチで着磁されたトリガプレートである。【００４８】
ハブ１は、金属材料によって製作されたものであって、クランクシャフトの正面端部に不図示のセンターボルトを介して固定される円筒状のボス部１１と、このボス部１１から外周側へ延びる径方向部１２と、更にその外周に形成された円筒状のリム部１３からなる。また、参照符号１１ａは、ボス部１１の内周に形成されたキー溝である。【００４９】
環状質量体３は、鋳鉄あるいは鋼材等の金属材料によって製作されたものであって、その外周面には、エンジン用補機（不図示）へ回転力を伝達する無端ベルトを巻き掛けるための、ポリＶ溝３ａが形成されている。【００５０】
スリーブ２は、鋼鈑等、磁性体の金属板を打ち抜きプレスすることにより製作されたものであって、円筒状をなし、環状質量体３の内周面に所要の締め代をもって圧入嵌着されている。【００５１】
弾性体４は、ゴム状弾性材料で環状に成形されたものであって、ハブ１のリム部１３の外周面とスリーブ２の内周面との間に配置され、両面に対して加硫接着されている。【００５２】
スリーブ２の背面側の端部は軸方向に延ばされて、その先端部から径方向外方へ向けて円盤状に展開した外向き鍔部２ａが延在されている。すなわちこの外向き鍔部２ａはスリーブ２と同材質の磁性体金属板からなるものであって、環状質量体３の背面側の端面に対して適当な隙間をもって、軸心と垂直な方向に延在されている。そしてトリガプレート５は、この外向き鍔部２ａと、その背面に接合された着磁層５１とで構成されている。【００５３】
トリガプレート５における着磁層５１は、フェライト等の磁性体の微粉末を均一に混合したゴム状弾性材料又は合成樹脂材料からなるものであって、スリーブ２から延びる外向き鍔部２ａの背面に加硫接着等によって接合され、上記第一ないし第四の各実施形態と同様に、円周方向交互に異なる磁極（Ｓ極およびＮ極）が所定ピッチで多極着磁されている。【００５４】
なお、トリガプレート５には、例えばエンジンのピストンの上死点等、特定のポジションを検出するためのクランク角計測原点が設けられており、このクランク角計測原点は、円周方向１箇所に、磁極の着磁ピッチの異なる部分などを設けることによって形成されている。【００５５】
また、トリガプレート５の背面側には、ホール素子や磁気抵抗素子等からなる磁気センサ６が非回転状態に配置され、その検出面がトリガプレート５の本体をなす着磁層５１と軸方向に近接対向している。そして、このトリガプレート５と磁気センサ６によって、エンジン点火時期制御や燃料噴射時期制御のためのクランクシャフトのクランク角を検出するロータリエンコーダが構成されている。【００５６】
弾性体４とスリーブ２および環状質量体３とは、ばね−マス系（副振動系）を構成しており、その捩り方向固有振動数は、スリーブ２および環状質量体３の円周方向慣性質量と、弾性体４の円周方向剪断ばね定数によって、クランクシャフトの捩り振動の振幅が極大となる振動周波数帯域に設定されている。【００５７】
以上の構成を備えるトリガプレート付きダンパは、ハブ１のボス部１１においてクランクシャフトの正面端部に外挿固定され、このクランクシャフトと一体的に回転されるものである。そしてクランクシャフトからハブ１を介して入力される捩り振動の周波数が、クランクシャフトの振幅が極大となる回転数域では、環状質量体３、スリーブ２および弾性体４によって構成される副振動系が、入力振動と逆の位相角をもって捩り方向に共振し、すなわちその共振によるトルクは入力振動のトルクと逆の方向に生じるため（動的吸振作用）、クランクシャフトの捩り振動のピークを有効に低減することができる。【００５８】
また、トリガプレート５が環状質量体３と一体的に回転するのに伴って、磁気センサ６の検出面の正面を、前記トリガプレート５の着磁層５１に着磁されたＮ極とＳ極が交互に通過するので、磁気センサ６は、磁界の変化に対応した波形のパルス信号を発生する。この信号は、エンジン点火時期制御や燃料噴射時期制御のためのクランク角データとして、不図示のエンジン制御ユニットに出力されることになる。【００５９】
上記図５に示される第五の形態によるトリガプレート付きダンパの製造においては、例えばまずスリーブ２に形成された外向き鍔部２ａに、磁性体の微粉末を均一に混合した未加硫のゴム状弾性材料又は合成樹脂材料によって着磁層５１を一体的に加硫成形し、次に互いに同心的にセットしたハブ１とスリーブ２との間に、未加硫のゴム状弾性材料によって弾性体４を一体的に加硫成形し、この工程により得られた一体成形物を、スリーブ２において環状質量体３の内周側に軸方向一方から圧入する。スリーブ２は、環状質量体３の内周側への圧入過程で縮径変形され、これにより弾性体４がハブ１との間で径方向に予圧縮されるので、弾性体４にその成形過程で生じた体積収縮による残留引張応力が低減又は解消される。また、着磁層５１には多極着磁を行う必要があるが、この着磁工程は、環状質量体３の組み込み前であっても、組み込み後であっても良く、着磁層５１の成形は、弾性体４の成形後に行っても良い。【００６０】
当該第五実施形態において、トリガプレート５は、上記副振動系の一部を構成するスリーブ２と一体であることから、このトリガプレート５が設けられてもダンパの部品点数が増加することはなく、上述の圧入工程によってトリガプレート５の取り付けも同時に行われる。しかも、トリガプレート５は弾性体４およびスリーブ２を介してしっかりとハブ１に固定されるため、磁気センサ６によるクランク角検出の信頼性が損なわれたり、あるいはトリガプレート５がハブ１から脱落したりするのを確実に防止することができる。【００６１】
第六実施形態・・・
上記第五実施形態は、ハブ１の外周面とその外周側に配置される環状質量体３の内周側に嵌合されるスリーブ２の内周面との間に弾性体４を一体的に加硫成形したタイプのダンパについて本発明を適用したものであったが、本発明は、予め単独で環状に成形した弾性体４を圧入した所謂嵌合タイプのダンパについても適用可能である。図６は、このような例として、本発明に係るトリガプレート付きダンパの第六の形態を、その軸心を通る平面で切断して示す半断面図である。【００６２】
すなわち、図６に示される第六の形態において、上記第五実施形態と異なるところは、ハブ１とスリーブ２との間に単独で環状に成形した弾性体４を圧入嵌着した点にある。【００６３】
更に詳しくは、ハブ１のリム部１３の外周面は、軸心を通る平面で切断した断面形状（図６に示される断面形状）が、軸方向中間部が曲面を描くように内周側へ凹んだ形状をなしている。一方、スリーブ２は、軸心を通る平面で切断した断面形状（図６に示される断面形状）が、ハブ１のリム部１３の外周面と対応して軸方向中間部が曲面を描くように内周側へ膨らんだ形状をなし、軸方向両端およびその近傍が、質量体３の円筒面状の内周面に適当な締め代をもって嵌着されている。【００６４】
環状弾性体４は、ゴム状弾性材料で予め環状（円筒状）に成形され、ハブ１のリム部１３とスリーブ２との間に圧入嵌合されたものである。この環状弾性体４は、ハブ１のリム部１３の外周面およびこれに径方向に対向するスリーブ２の内周面に沿って、軸方向中間部が曲面を描くように内周側へ蛇行した断面形状をなしており、これによって、ハブ１のリム部１３の外周面およびスリーブ２の内周面に対する滑りが防止されている。【００６５】
トリガプレート５は、上記第五実施形態と同様に、トリガプレート５における着磁層５１が、スリーブ２の背面側の端部から外周側へ一体に形成された外向き鍔部２ａの背面に一体的に接合され、この着磁層５１に、円周方向交互に異なる磁極（Ｓ極およびＮ極）が所定ピッチで多極着磁されたものである。【００６６】
この第六実施形態も、上記第五実施形態と同様に、クランクシャフトの正面端部に外挿固定されてこのクランクシャフトと一体的に回転し、そしてクランクシャフトの捩り振動の振幅が極大となる回転数域において、環状質量体３、スリーブ２および弾性体４によって構成される副振動系が、入力振動と逆の位相角をもって捩り方向に共振するといった動的吸振作用によって、クランクシャフトの捩り振動のピークを有効に低減する。また、トリガプレート５が環状質量体３と一体的に回転することによって、その背面側に配置された磁気センサ６がエンジン点火装置や燃料噴射装置をトリガするためのクランク角データとなるパルス信号を出力する。【００６７】
図６に示されるトリガプレート付きダンパの製造においては、まずスリーブ２の外向き鍔部２ａの背面に、磁性体の微粉末を均一に混合した未加硫のゴム状弾性材料または合成樹脂材料によって着磁層５１を一体的に加硫成形する。次にハブ１のリム部１３の外周側にスリーブ２を同心的に配置し、両者２，１３の間に弾性体４を軸方向一方から圧入して、ハブ１、弾性体４およびスリーブ２よりなる組立品を組み立てる。次に上記組立品におけるスリーブ２の外周側に環状質量体３を軸方向一方から圧入し、以上をもって当該ダンパの組立工程を完了する。【００６８】
尚、弾性体４の圧入工程においては予め、嵌合面であるハブ１のリム部１３の外周面および／またはスリーブ２の内周面に、スベリトルクを増大させるためのカップリング剤を塗布しておくことが好ましく、これにより圧入工程を容易化することができる。【００６９】
当該第六実施形態において、トリガプレート５は、上記副振動系の一部を構成するスリーブ２と一体であることから、このトリガプレート５が設けられてもダンパの部品点数が増加することはなく、上述の圧入工程によってトリガプレート５の取り付けも同時に行われる。しかも、トリガプレート５は弾性体４およびスリーブ２を介してしっかりとハブ１に固定されるため、磁気センサ６によるクランク角検出の信頼性が損なわれたり、あるいはトリガプレート５がハブ１から脱落したりするのを確実に防止することができる。【００７０】
尚、上記第五および第六実施形態に共通して、スリーブ２には外向き鍔部２ａに代えて内向き鍔部を一体に成形し、これにより内向きのトリガプレートを形成するようにしても良く、これによりダンパの小径化等を実現することができる。
【図１】
0004935986.tif 000002
【図２】
0004935986.tif 000003
【図３】
0004935986.tif 000004
【図４】
0004935986.tif 000005
【図５】
0004935986.tif 000006
【図６】
0004935986.tif 000007